(57)【特許請求の範囲】
【請求項１】
屑取りステーションを有する紙又は厚紙シートの成形プレスであって、屑取りステーションが、上側屑取りツールを固定する一対の横方向水平レールを含むツール支持用型枠を備えている、成形プレスにおいて、第１の横方向水平レールが前記ツール支持用型枠に対して固定され、第２の横方向水平レールが前記ツール支持用型枠に対して長手方向に可動であり、前記２つの横方向水平レールの輪郭形状は、引出し式フレームの形態を有する上側屑取りツール及びボードの形態を有する上側屑取りツールの両方を受入れる輪郭形状であり、前記２つの横方向水平レールは、屑取り動作位置において、引出し式フレームの形態を有する上側屑取りツール及びボードの形態を有する上側屑取りツールの一方を受入れて維持し、
前記２つの横方向水平レールの各々は、その他方のレールに向いた側部に、引出し式フレームの形態を有する上側ツールの横方向側部の外部輪郭形状に対して相補的な輪郭形状を有する第１の形状部分と、ボードの形態を有する上側ツールの縁部の輪郭形状に対して相補的な輪郭形状を有する第２の形状部分とを有し、前記第１の形状部分は、前記第２の形状部分の上に配置されていることを特徴とする成形プレス。
【請求項２】
前記第１の横方向水平レールの第２の形状部分は、ボードの形態を有する上側ツールを機械内で心出しするための心出しブロックを有することを特徴とする請求項１に記載の成形プレス。
【請求項３】
前記ツール支持用型枠は、前記心出しブロックの横方向位置を調整するためのマイクロメータ式調整手段を有していることを特徴とする請求項１又は２に記載の成形プレス。
【請求項４】
前記ツール支持用型枠は、前記第１の横方向水平レールの長手方向位置及び／又は角度方向位置を調整するためのマイクロメータ式調整手段を有していることを特徴とする請求項１に記載の成形プレス。
【請求項５】
前記マイクロメータ式調整手段は、それらの設定値を記憶可能に表示できることを特徴とする請求項３又は４に記載の成形プレス。
【請求項６】
前記屑取りステーションは、前記上側屑取りツールを動作位置に維持する締付け手段を有し、この締付け手段は、一定圧力を前記第１の横方向水平レールに向かって長手方向に及ぼすように前記第２の横方向水平レールに作用する少なくとも１つのばねと、動作状態になると前記ばねの付勢力に打ち勝ってこれを無効にする少なくとも１つのジャッキとを有していることを特徴とする請求項１に記載の成形プレス。
【請求項７】
前記第２の横方向水平レールは、少なくとも１つの支持体によって支持され、この支持体は、弾性装置によって前記支持体に固定された歯車装置によって、前記第２の横方向水平レールの長手方向の並進移動を可能にすることを特徴とする請求項６に記載の成形プレス。
【発明の詳細な説明】
【０００１】
【発明の属する技術分野】
本発明は、屑取りステーションを有する紙又は厚紙シートの成形プレスであって、屑取りステーションが、上側屑取りツールを固定する一対の横方向水平レールを含むツール支持用型枠を備えている、成形プレスに関する。
【０００２】
本発明はまた、打抜きステーションを有する紙又は厚紙シートの成形プレスであって、打抜きステーションが、上側打抜きツールを固定する一対の横方向水平レールを含むツール支持用型枠を備えている、成形プレスに関する。
【０００３】
本発明はまた、上述した屑取りステーションと打抜きステーションの両方を有する紙又は厚紙シートの成形プレスに関する。
【０００４】
【従来の技術及び発明が解決しようとする課題】
紙、目の細かい板紙又は段ボール用の成形プレスは、特定の仕事を行うための種々の専用成形ツールを、各作業に応じて利用している。かかる種々の専用成形ツールは、具体的には、むら取り（メークレディー）プレート、むら取り（メークレディー）シート、裁断用型、裁断に対応する部品を備えた裁断用プレート、上側屑取りツール、中央屑取りボード、屑を捕捉するための入れ子式ツールを備えた下側屑取りフレーム、上側打抜きツール、及び下側打抜きツール等である。
【０００５】
上側屑取りツール及び上側打抜きツールは、それと対応するステーションから引出すことができる標準サイズの引出し式フレームの形態を有しているのが良く、その前部及び後部は、横方向レール等の所定形状の固定装置に固定され且つその上を摺動する形状を備えている。本明細書において、部品の方向に関する「長手方向」及び「横方向」という用語並びにステーションに関する「前」、「後」及び「横」という用語を、機械、即ち、成形プレス内における紙又は厚紙シートの走行方向に対して用いる。引出し式フレームの形態を有する上側屑取りツールは、種々の屑取り装置が固定される数本のクロスバーを有しているのがよい。引出し式フレームの形態を有する上側屑取りツールに対するクロスバー及び屑取り装置の配設位置は、行う作業に応じて変更され且つ定められる。屑取り装置のかかる配設位置への取付けは、引出し式フレームの形態を有する上側屑取りツールの準備作業であり、機械の外部、好ましくは、プリセット又はセットアップテーブル上で行われる。この準備作業は、比較的やっかいであり、生産中の機械とは無関係に「稼動外時間」に行なわれる。
【０００６】
作業時間が短く且つ作業が繰り返し行われる場合、上側屑取りボード或いは上側打抜きボード又はダイと呼ばれる、矩形の木製ボードで作られた上側ツールがしばしば用いられる。このボードの形態を有する上側ツールには、特定の作業に対応した種々の形状の屑取り装置が予め固定されている。木製のダイ自体、即ち、ボードの形態を有する上側ツール自体を、ボード取付け用の引出し式フレームの内側に取付け、この引出し式フレームを、それに対応するステーション内に組込む。必要があれば、ボードの形態を有する上側ツールをボード取付け用の引出し式フレーム内の所定位置に再調整して、それを再取付けしなければならない。
【０００７】
各作業の開始時、上述した種々の上側ツールは、成形プレスの種々のステーションに極めて正確に取付けられていなければならない。特に作業時間が短く且つ作業が繰り返し行われる場合、成形プレスユニットの生産性は主として、上側ツールの位置決め及び取付けの迅速さで決まる。
【０００８】
本発明の目的は、成形プレスの上側屑取りツール及び／又は上側打抜きツールの位置決め及び取付けを容易且つ迅速にすることにある。
【０００９】
【課題を解決するための手段】
この目的は、上述した形式の成形プレスであって、屑取りステーションが、上側屑取りツールを固定する一対の横方向水平レールを含むツール支持用型枠を備え、第１のレールがツール支持用型枠に対して固定され、第２のレールがツール支持用型枠に対して長手方向に可動であり、２つのレールの輪郭形状は、引出し式フレームの形態を有する上側屑取りツール及びボードの形態を有する上側屑取りツールの両方を受入れる輪郭形状であり、２つのレールは、屑取り動作位置において、引出し式フレームの形態を有する上側屑取りツール及びボードの形態を有する上側屑取りツールの一方を選択的に受入れて維持することを特徴とする成形プレスによって達成される。
【００１０】
この目的は又、上述した形式の成形プレスであって、打抜きステーションが、上側打抜きツールを固定する一対の横方向水平レールを含むツール支持用型枠を備え、第１のレールがツール支持用型枠に対して固定され、第２のレールがツール支持用型枠に対して長手方向に可動であり、２つのレールの輪郭形状は、引出し式フレームの形態を有する上側打抜きツール及びボードの形態を有する上側打抜きツールの両方を受入れる輪郭形状であり、２つのレールは、打抜き動作位置において、引出し式フレームの形態を有する上側打抜きツール及びボードの形態を有する上側打抜きツールの一方を選択的に受入れて維持することを特徴とする成形プレスによって達成される。
【００１１】
本発明の屑取りステーション及び／又は打抜きステーションは、ボード取付け用の引出し式フレームにおけるボードの形態を有する上側屑取りツール又は上側打抜きツールの組立て及び取付け作業を排除することができる。ボードの形態を有する上側ツールは、直接、ステーションに取付けられる。その結果、２つの作業の間の準備時間が節約される。また、その結果、使用されるツール取付け要素の数が少なくなる。第２のレールが可動であるということにより、１対のレールの間隔を、ボードの形態を有する上側ツールの異なるサイズに調節することが可能である。
【００１２】
ステーションのレールは、引出し式フレームの形態を有する上側ツールの輪郭形状に対して相補的な輪郭形状を有する上側形状部分と、ボードの形態を有する上側ツールの輪郭形状に対して相補的な輪郭形状を有する下側形状部分とを有するのがよく、２つのレールのこれらの形状部分は側面に形成されている。
【００１３】
ステーションの前部に設けられたレールは、ボードの形態を有する上側ツールを受け入れる形状部分の高さ位置に、ボードの形態の上側屑取りツール又は上側打抜きツールを機械内に心出しするための心出しブロックを備えていることが好ましい。ボードの形態を有する上側ツールの不測の製造誤差に対処するため、心出しブロックはマイクロメータ式調整装置によって横方向に調節可能であることが好ましい。
【００１４】
このステーションは、可動レールを長手方向に固定レールに向かって押すことができる手段を有することが好ましい。このようにすると、上側ツールを取り付けた時、上側ツールが固定レールと可動レールとの間にしっかりと固定される。
【００１５】
可動レールを固定レールに向かって前方に押す上記手段は、固定レールの方向に一定の押圧力を可動レールに及ぼす少なくとも１つのばねと、オペレータによって動作され、ばねの作用に対抗してこれに打ち勝ち、可動レールを固定レールに向って前方に押す作用を弛める少なくとも１つのシリンダとを有するのがよく、それにより、上側ツールの交換を可能にする。
【００１６】
好ましくは後側に位置した可動レールが少なくとも１つの支持手段に支持され、この支持手段自体は、オペレータが作動させるべき変位手段に固定されている。このようにして、このステーションは、様々なサイズの、ボードの形態を有する上側ツールに対応することができる。さらに、可動レールは２つのホルダによって支持され、このホルダは、長手方向に移動するラックにそれぞれ固定されるのがよい。
【００１７】
本発明の他の特徴及び利点は、添付の図面を参照して好ましい実施形態の以下の説明を読むと当業者には理解されよう。
【００１８】
【発明の実施の形態】
図１は、成形プレスの屑取りステーションの上側ツール支持用型枠を示しており、上側ツール支持用型枠は、２本の長手方向ビーム１，２と、２本の横方向ビーム３，４とを備えている。１本の水平横方向の前側レール５が、２つの垂直方向部材（図示せず）により長手方向ビーム１，２に吊り下げ状態で取り付けられている。前側レール５は、その後側に２本の溝を備えており、下側の溝６は、ボードの形態を有する上側屑取りツールの縁部を受け入れることができ、上側の溝７には、一般的な引出し式フレームの形態を有する上側屑取りツールのリブが滑り込むことができるようになっている。
前側レール５は、通常、プレスの作動中でもツールの交換中でも、上側ツール支持用型枠に対して固定されたままであるが、ボードの形態を有する上側屑取りツールの製造又は調整の際の僅かな誤差に対応するため、手動操作可能なマイクロメーター式位置調整装置が予め用意されている。刻み付きノブ８を用いることにより、ボードの形態を有する上側屑取りツールの機械内への心出しを行うための心出しブロックの横方向位置の調節が可能である。刻み付きノブ９，１０はそれぞれ、互いに独立した方式で、前側レール５が吊り下げられている２つの垂直方向支柱にロッド１４及びレバーによって作用して、前側レール５の長手方向位置及びその角度方向位置を補正することができるようになっている。これら３つのマイクロメータ式位置調整装置は、ディスプレイを備えており、このディスプレイは、連続した作業が可能になるように設定値を記憶装置に記憶させることができる。
【００１９】
固定の前側レール５に対向し且つそれと平行な可動の後側レール１１が設けられている。後側レール１１も又、ボードの形態を有する上側屑取りツールの後縁部を受け入れることができる下側の溝と、一般的な引出し式フレームの形態を有する上側屑取りツールの相補的な形状を有するリムが滑って嵌まることができる上側の溝とを備えている。
【００２０】
可動の後側レール１１は、２つの長手方向軸受１２，１３の垂直方向脚部によって支持され、この長手方向軸受の水平方向脚部は、歯付きホイールを支持している。これら歯付きホイールは、２つの長手方向ラックと噛み合った状態で回転可能である。長手方向ラック（図１には示さず）は、長手方向ビーム１，２に取付けられた水平方向プレート１６，１７の下に、長手方向に数ｍｍにわたって摺動できるように取付けられている。ロッド１８によってステーションの両側の歯付きホイールに同時に作用する手動操作部１４′により、後側可動レール１１を長手方向に移動させ、後側可動レール１１の位置を、ボードの形態を有する上側屑取りツールの長さに合わせることを可能にする。
一定の圧力下にある１対のばね（そのうち１つを符号１５で図１に示す）が水平方向プレート１６，１７に長手方向に設けられているが、各ばねの一端は、水平方向プレート１６、１７に取付けられ、その他端は、長手方向ラックに取付けられているブロック２２を押すように取付けられている。ばねは、長手方向ラックをステーションの前方に向けて押し、それにより、ボードの形態又は引出し式フレームの形態を有する上側屑ツールがレール５，１１間に把持される。
【００２１】
２つの締結タブ２５，２６及び横方向ビーム２７を介して機械フレームに取付けられている固定横方向ビーム２４に、横方向バー２１を支持している２つのジャッキ１９、２０が取付けられている。ボードの形態を有する上側屑取りツールを支持している引出し式フレームの形態を有する上側ツールが上方位置即ち上昇位置にあるとき、オペレータは２つのジャッキ１９、２０を作動させることができる。即ち、上側ツール支持用型枠が上方位置即ち上昇位置にあるとき、ブロック２２は、横方向バー２１の端部と同一レベルになる。ジャッキ１９、２０を作用させると、横方向バー２１は、長手方向ビーム１，２からはみ出しているブロック２２の延長部分を、ばね１５の押圧作用に対抗するように押し、ボートの形態又は引出し式フレームの形態を有する上側ツールを上側ツール支持用型枠から解放する。それにより、オペレータがボードの形態又は引出し式フレームの形態を有する上側ツールを容易に取り外すことができる。
【００２２】
可動の後側レール１１の長手方向軸受１２，１３、長手方向ラック、ばね１５及びジャッキ１９，２０は、「装置軸（axis-machine）」と称する長手方向中心軸線を通って延びる鉛直平面に対して対称に配置されていることが分かる。
【００２３】
また、図１を参照すると、支持ビーム２３が設けられている。この支持ビーム２３は可動である。これはボードの形態を有する上側屑取りツールの上部に当接して、上側ツール支持用型枠の昇降中、このボードの形態を有する上側屑取りツールの平面度を維持するようになっている。
【００２４】
打抜きステーションは、同一の上側打抜きツール支持用型枠を備えている。
【図面の簡単な説明】
【図１】上側屑取りツールを使用できるようにする１対のレールを備えた、成形プレスの屑取りステーションの上側ツール支持用型枠の斜視図である。
【符号の説明】
１，２  長手方向ビーム
３，４  横方向ビーム
５，１１  横方向レール
【図１】
0003612289.tif 000002